(57)【要約】【課題】本発明は、糸通し具の挿通作業を円滑に行える中通し釣竿を得ることにある。【解決手段】中通し釣竿1は、釣糸導入部10を有する第１の竿管2と、第１の竿管2に継ぎ合わされる第２の竿管3と、第２の竿管3の後端に設けられ、糸通し具41が挿通可能な糸挿通孔31を有する端部材22とを備えている。糸通し具41は、その挿入先端に第１および第２の竿管2, 3の内側を通して穂先18から引き出し可能な球状の頭部43を有する。端部材22は、第１の竿管2の内側に露出する第１の端面28と、第２の竿管3の内側に露出する第２の端面29とを有し、糸挿通孔31は、第１および第２の端面28, 29の中央部に開口している。端部材22の第１の端面28は、その外周部から糸挿通孔31が開口する中央部の方向に進むに従い凹むように傾斜するテーパ状に形成されている。端部材22の第２の端面29に開口する糸挿通孔31の開口端と第２の竿管3の内周面3aとの間に、糸通し具41の頭部43の半径よりも大きな段差39が形成されている。【選択図】      図５
2007267709.tif 000002
【特許請求の範囲】
【請求項１】
糸通し具が挿入される釣糸導入部を有する第１の竿管と、
上記釣糸導入部よりも前方で上記第１の竿管に継ぎ合わされる第２の竿管と、
上記第２の竿管の後端に設けられ、上記糸通し具が挿通可能な糸挿通孔を有するとともに、上記第１の竿管と上記第２の竿管との継ぎ合わせ部分に位置する端部材と、を具備し、
釣糸を接続した上記糸通し具を上記釣糸導入部から上記第１および第２の竿管の内側に導入する中通し釣竿であって、
上記糸通し具は、その挿入先端に上記第１および第２の竿管の内側を通して穂先から引き出し可能な球状の頭部を有し、
上記端部材は、上記第１の竿管の内側に露出する第１の端面と、上記第２の竿管の内側に露出する第２の端面とを有し、上記糸挿通孔は、上記第１の端面の中央部および上記第２の端面の中央部に夫々開口し、
上記端部材の第１の端面は、その外周部から上記糸挿通孔が開口する中央部の方向に進むに従い凹むように傾斜するテーパ状に形成されるとともに、上記端部材の第２の端面に開口する糸挿通孔の開口端と上記第２の竿管の内周面との間に、上記糸通し具の頭部の半径よりも大きな段差が形成されていることを特徴とする中通し釣竿。
【請求項２】
請求項１の記載において、上記糸挿通孔は、内径が最も小さくなるように絞られた小径部を有し、この小径部の内面に、上記糸通し具の頭部が挿通可能で、しかも内径が上記小径部よりも小さなリング部材を取り付けたことを特徴とする中通し釣竿。
【請求項３】
請求項１又は請求項２の記載において、上記端部材は、上記第２の竿管の後端から第１の竿管の内側に向けて同軸状に突出する突出部を有し、この突出部の外周面と上記第１の竿管の内周面との間に周方向に連続する隙間が形成されているとともに、上記糸通し具の頭部の半径は、上記隙間に上記端部材の第１の端面と上記突出部の外周面とで規定される端部の厚みを加えた寸法よりも大きいことを特徴とする中通し釣竿。
【請求項４】
請求項３の記載において、上記端部材の第１の端面は、上記端部材の外周面に連続するとともに、上記端部材の端部は、鋭角に尖っていることを特徴とする中通し釣竿。
【請求項５】
請求項１の記載において、上記第２の竿管は、その内周面に上記釣糸を案内する凸部を有し、この凸部は、上記第２の竿管の周方向に沿うとともに、上記第２の竿管の軸方向に間隔を存して並んでいることを特徴とする中通し釣竿。
【請求項６】
請求項１又は請求項２の記載において、上記端部材の第２の端面と上記糸挿通孔の内周面とで規定される角部は、直角もしくは鋭角に尖っていることを特徴とする中通し釣竿。
【請求項７】
糸通し具が挿入される釣糸導入部を有する第１の竿管と、
上記釣糸導入部よりも前方で上記第１の竿管に継ぎ合わされるとともに、内周面に釣糸を案内する凸部を有する第２の竿管と、
上記第２の竿管の後端に設けられ、上記糸通し具が挿通可能な糸挿通孔を有するとともに、上記第１の竿管と上記第２の竿管との継ぎ合わせ部分に位置する端部材と、を具備し、
釣糸を接続した上記糸通し具を上記釣糸導入部から上記第１および第２の竿管の内側に導入する中通し釣竿であって、
上記端部材は、上記第１の竿管の内側に露出する端面を有し、この端面の中央部に上記糸挿通孔が開口するとともに、上記端面は、その外周部から上記糸挿通孔が開口する中央部の方向に進むに従い凹むように傾斜するテーパ状に形成され、
上記糸通し具は、その挿入先端に位置する球状の頭部と、この頭部よりも上記糸通し具の挿入方向に沿う後方に位置する係止部とを有し、上記頭部および上記係止部は、上記第１および第２の竿管の内側を通して穂先から引き出し可能な大きさを有するとともに、上記係止部の後端は、上記糸通し具の挿入方向と交差する方向に延びていることを特徴とする中通し釣竿。
【請求項８】
糸通し具が挿入される釣糸導入部を有する第１の竿管と、
上記釣糸導入部よりも前方で上記第１の竿管に継ぎ合わされるとともに、内周面に釣糸を案内する凸部を有する第２の竿管と、
上記第２の竿管の後端に設けられ、上記糸通し具が挿通可能な糸挿通孔を有するとともに、上記第１の竿管と上記第２の竿管との継ぎ合わせ部分に位置する端部材と、を具備し、
釣糸を接続した上記糸通し具を上記釣糸導入部から上記第１および第２の竿管の内側に導入する中通し釣竿であって、
上記端部材は、上記第１の竿管の内側に露出する端面を有し、この端面の中央部に上記糸挿通孔が開口するとともに、上記端面は、その外周部から上記糸挿通孔が開口する中央部の方向に進むに従い凹むように傾斜するテーパ状に形成され、
上記糸通し具は、その挿入先端に位置する球状の頭部と、この頭部よりも上記糸通し具の挿入方向に沿う後方に位置する係止部とを含み、上記頭部および上記係止部は、上記第１および第２の竿管の内側を通して穂先から引き出し可能であり、上記糸通し具の少なくとも係止部は、上記糸挿通孔の内径よりも大きな形状を有するとともに、弾性変形が可能であることを特徴とする中通し釣竿。
【請求項９】
請求項７又は請求項８の記載において、上記端部材は、上記第２の竿管の後端から第１の竿管の内側に向けて同軸状に突出する突出部を有し、この突出部の外周面と上記第１の竿管の内周面との間に周方向に連続する隙間が形成されているとともに、上記糸通し具の頭部の半径は、上記隙間に上記端部材の端面と突出部の外周面とで規定される端部の厚みを加えた寸法よりも大きいことを特徴とする中通し釣竿。
【請求項１０】
糸通し具が挿入される釣糸導入部を有する第１の竿管と、
上記釣糸導入部よりも前方で上記第１の竿管に継ぎ合わされる第２の竿管と、
上記第２の竿管の後端に設けられ、上記糸通し具が挿通可能な糸挿通孔を有するとともに、上記第１の竿管と上記第２の竿管との継ぎ合わせ部分に位置する端部材と、を具備し、
釣糸を接続した上記糸通し具を上記釣糸導入部から上記第１および第２の竿管の内側に導入する中通し釣竿であって、
上記糸通し具は、その挿入先端に位置する頭部が磁性材料で構成され、
上記端部材は、上記第１の竿管の内側に露出する第１の端面と、上記第２の竿管の内側に露出する第２の端面とを有するとともに、上記糸挿通孔は、上記第１の端面の中央部および第２の端面の中央部に夫々開口し、
上記端部材の第１の端面は、その外周部から上記糸挿通孔が開口する中央部の方向に進むに従い凹むように傾斜するテーパ状に形成され、上記端部材の第２の端面に、上記糸通し具の頭部が磁力により吸着する吸着体を設けたことを特徴とする中通し釣竿。
【請求項１１】
請求項１０の記載において、上記端部材の第１の端面に、上記糸通し具の頭部と同じ極性を有する磁性体を設けたことを特徴とする中通し釣竿。
【発明の詳細な説明】
【技術分野】
【０００１】
本発明は、竿管の内側に糸通し具を用いて釣糸を導入する中通し釣竿に係り、特に糸通し具を竿管内に通し易くするための構造に関する。
【背景技術】
【０００２】
中通し釣竿は、釣糸を竿管内に導入するための糸通し具を備えている。糸通し具は、元側竿管の釣糸導入部から元側竿管の内側に挿入されるとともに、この元側竿管に継ぎ合わされた先側竿管の内側を通して、穂先から釣竿の外に引き抜かれるようになっている。
【０００３】
竿管内に糸通し具を通す際に、この糸通し具が竿管の内周面あるいは竿管の継ぎ合わせ部分に引っ掛かってしまうと、糸通し具を通す作業に多大な手間と労力を要する。
【０００４】
さらに、竿管内に糸通し具を通している時に、例えば釣竿の穂先を上向きにしたり、糸通し具から手を離してしまうと、竿管内に挿入した糸通し具が後戻りして釣糸導入部から釣竿の外に抜け出てしまうことがあり得る。そのため、糸通し具を竿管に通す作業を最初からやり直さなくてはならず、釣りの準備に時間がかかるといった問題が生じてくる。
【０００５】
この改善策として、従来、竿管内に挿入される先端部分に工夫を施した糸通し具が知られている。この糸通し具では、竿管内に挿入される線状の本体と、この本体の先端に設けられた頭部と、この頭部の後端に設けられたスカート体とを備えている。
【０００６】
頭部は、本体よりも径が大きいとともに、その挿入先端面が曲面状に形成されている。スカート体は、弾力を有する合成樹脂、植毛あるいは鳥の羽等によって形成されており、頭部の後端から本体を中心として放射状に拡がっている。
【０００７】
この種の糸通し具を竿管の内側に挿入すると、スカート体の外周縁が竿管の内周面に摺動可能に接触する。この接触により、頭部および本体が竿管の略中心位置に保持され、頭部や本体が竿管の内周面から離れた状態となる。
【０００８】
そのため、糸通し具を竿管内に挿入する時に、その挿入先端に位置する頭部が竿管の内周面や竿管の継ぎ合わせ部分に引っ掛かるのを防止でき、糸通し具の挿入作業を円滑に行うことができる（例えば、特許文献１参照）。
【特許文献１】特開平８−１９３６０号公報
【発明の開示】
【発明が解決しようとする課題】
【０００９】
特許文献１に開示された糸通し具では、スカート体が常に竿管の内周面に接している。このような構成によると、スカート体と竿管の内周面との接触部分に糸通し具の挿入を妨げようとする抵抗が生じる虞があり得る。
【００１０】
特に中通し釣竿では、竿管の内周面に釣糸を案内する突起が螺旋状に設けられているので、スカート体が突起を乗り越す毎に、このスカート体と突起との間に大きな抵抗が生じるのを避けられない。
【００１１】
さらに、竿管の内径は、通常穂先に近づくに従い小さくなるので、糸通し具の挿入作業が進む程にスカート体が竿管の内側にきつく嵌まり込む状態となる。この結果、糸通し具を竿管内に挿入してくと、次第に糸通し具の挿通を妨げようとする抵抗が大きくなり、糸通し具の挿入性が悪くなる。
【００１２】
本発明の目的は、竿管に対する糸通し具の挿通性を高めつつ、糸通し具が釣糸導入部の方向に後戻りするのを防止でき、糸通し具の挿通作業を円滑かつ安定して行える中通し釣竿を得ることにある。
【課題を解決するための手段】
【００１３】
上記目的を達成するため、本発明の一つの形態に係る中通し釣竿は、  
糸通し具が挿入される釣糸導入部を有する第１の竿管と、  
上記釣糸導入部よりも前方で上記第１の竿管に継ぎ合わされる第２の竿管と、  
上記第２の竿管の後端に設けられ、上記糸通し具が挿通可能な糸挿通孔を有するとともに、上記第１の竿管と上記第２の竿管との継ぎ合わせ部分に位置する端部材と、を備えている。
【００１４】
上記糸通し具は、その挿入先端に上記第１および第２の竿管の内側を通して穂先から引き出し可能な球状の頭部を有し、上記端部材は、上記第１の竿管の内側に露出する第１の端面と、上記第２の竿管の内側に露出する第２の端面とを有し、上記糸挿通孔は、上記第１の端面の中央部および上記第２の端面の中央部に夫々開口している。
【００１５】
上記端部材の第１の端面は、その外周部から上記糸挿通孔が開口する中央部の方向に進むに従い凹むように傾斜するテーパ状に形成されるとともに、上記端部材の第２の端面に開口する糸挿通孔の開口端と上記第２の竿管の内周面との間に、上記糸通し具の頭部の半径よりも大きな段差が形成されていることを特徴としている。
【発明の効果】
【００１６】
本発明によれば、糸通し具の球状をなす頭部が第１の竿管の内側を通って端部材に達した際に、頭部は端部材の第１の端面の傾斜に沿って糸挿通孔の開口端に滑らかに誘導されるとともに、この糸挿通孔の内側を通って第２の竿管の内側に送り込まれる。よって、糸通し具の頭部が端部材に引っ掛かり難くなり、糸通し具の挿入作業を円滑に行うことができる。
【００１７】
しかも、竿管内に糸通し具を通している最中に、例えば釣竿の姿勢の変化に伴って糸通し具が釣糸導入部の方向に後戻りしようとした場合、糸通し具の頭部が端部材の第２の端面と第２の竿管の内周面との間の段差に引っ掛かり易くなる。このため、端部材を利用して糸通し具の後戻りを防止することができ、糸通し具の挿通作業を円滑かつ安定して行うことができる。
【発明を実施するための最良の形態】
【００１８】
以下本発明の第１の実施の形態を、図１ないし図５に基づいて説明する。
【００１９】
図１は、主にイカ釣りで使用する餌木竿のような中通し釣竿１を開示している。本実施の形態に係る中通し釣竿１は、元竿管となる第１の竿管２と、穂先竿管となる第２の竿管３とを互いに継ぎ合わすことで構成されている。第１および第２の竿管２，３は、例えば強化繊維に合成樹脂材料を含浸させた繊維強化プリプレグを用いて円筒状に形成されており、夫々可撓性を有している。
【００２０】
本発明において、第１の竿管２は元竿管に特定されるものではなく、例えば元竿管と穂先竿管との間に位置する中竿管あるいは元前竿管であってもよい。さらに、中通し釣竿１にしても餌木竿に限らず、例えばルアーロッド、磯竿又は船竿でもよいとともに、その竿管の継ぎ数も２に限らない。
【００２１】
図１ないし図３に示すように、第１の竿管２は、竿尻側から順に尻栓４、握り部５および各種のリールを固定するリールシート６を備えている。さらに、第１の竿管２は、その前端に位置する第１の継ぎ端部７と、外周面に開口する釣糸導入孔８とを有している。釣糸導入孔８は、リールシート６よりも第１の継ぎ端部７に近い位置に設けられている。
【００２２】
第１の竿管２の外周面に釣糸導入部の一例である釣糸導入ガイド１０が取り付けられている。釣糸導入ガイド１０は、リールから繰り出される釣糸１１（図４に示す）を釣糸導入孔８を介して第１の竿管２の内側に導くためのものであり、第１の継ぎ端部７に隣接している。
【００２３】
釣糸導入ガイド１０は、ガイド本体１２を有している。ガイド本体１２は、一対の固定部材１３ａ，１３ｂを介して第１の竿管２の外周面に固定されている。固定部材１３ａ，１３ｂは、周知の糸巻き、糸止め等によって形成されている。
【００２４】
ガイド本体１２は、第１のガイドリング１４および第２のガイドリング１５を有している。第１のガイドリング１４は、リールから繰り出される釣糸１１を第１の竿管２の外周面に向けて導くとともに、第２のガイドリング１５は、第１のガイドリング１４から導かれた釣糸１１を、釣糸導入孔８を介して第１の竿管２の内側に向けて案内する。
【００２５】
上記第２の竿管３は、第１の竿管２に振出し式に継ぎ合わされる第２の継ぎ端部１７と、穂先１８とを備えている。第２の継ぎ端部１７は、第１の竿管２と第２の竿管３とを継ぎ合わせた時に、第１の継ぎ端部７の内側に所定の締め代で嵌まり込み、これにより第１の竿管２と第２の竿管３が同軸状に連結される。第１および第２の竿管２，３の継ぎ方式は、振出し式に限らず、並継ぎでもよいことは勿論である。
【００２６】
穂先１８にトップガイド１９が取り付けられている。トップガイド１９は、糸抵抗を低減させるためのものであり、穂先１８から同軸状に突出している。
【００２７】
さらに、第２の竿管３の内周面に、釣糸１１を案内する凸部２０が設けられている。凸部２０は、第２の竿管３の内周面３ａから突出するとともに、第２の竿管３の軸方向に連続するように螺旋状に形成されている。凸部２０は、隣り合う複数のループ２０ａを有している。ループ２０ａは、第２の竿管３の周方向に連続するとともに、第２の竿管３の軸方向に間隔を存して並んでいる。
【００２８】
凸部２０は、例えば繊維強化樹脂のような耐摩耗性を有する材料で形成することが望ましい。それとともに、凸部２０は、第２の竿管３の内側に露出する部分が略山形の断面形状を有することが好ましい。これにより、第２の竿管３の内側に釣糸１１を導いた時に、凸部２０の頂部が釣糸１１に点接触することになり、釣糸１１と凸部２０との接触面積および釣糸１１と凸部２０との接触部分に生じる抵抗が小さくなる。
【００２９】
なお、凸部２０は、第２の竿管３の軸方向に連続する螺旋状に形成するものに限らず、例えば第２の竿管３の周方向に連続する複数のリング状の構成要素を、第２の竿管３の軸方向に間隔を存して配置してもよい。
【００３０】
図２ないし図５に示すように、第２の竿管３の第２の継ぎ端部１７に栓体２２が取り付けられている。栓体２２は、第２の継ぎ端部１７を閉塞する端部材の一例であり、ＡＢＳ樹脂、ポリオキシメチレン樹脂あるいはナイロンのような合成樹脂材料によって形成されている。
【００３１】
栓体２２は、第２の継ぎ端部１７の内側に位置する固定部２３と、第２の継ぎ端部１７から第２の竿管３の外に同軸状に突出する突出部２４とを備えている。固定部２３の外周面に雄ねじ部２５が形成されている。雄ねじ部２５は、第２の継ぎ端部１７の内周面に形成した雌ねじ部２６にねじ込まれている。このねじ込みにより、栓体２２が第２の継ぎ端部１７に取り外し可能に固定されて、第２の竿管３と一体化されている。
【００３２】
突出部２４は、第１の竿管２と第２の竿管３とを継ぎ合わせた時に、第１の竿管２の第１の継ぎ端部７の内側に入り込むようになっている。突出部２４の外周面２４ａと第１の竿管２の内周面２ａとの間には、周方向に連続する隙間ｇが形成されている。
【００３３】
この隙間ｇの存在により、第１の継ぎ端部７と第２の継ぎ端部１７との嵌合部分の長さのばらつきを少なく抑えることができる。それとともに、第１の継ぎ端部７と第２の継ぎ端部１７とを嵌合させる時に、栓体２２と第１の竿管２との間に摺動抵抗が生じるのを防止でき、第１および第２の竿管２，３を継ぎ合わせる際の作業性が良好となる。
【００３４】
さらに、第１の竿管２の第１の継ぎ端部７と栓体２２とが非接触の状態に保たれるので、例えば第１の竿管２と第２の竿管３とを相対的に回転させたとしても、第１の竿管２から栓体２２に直接トルクが伝わることはない。そのため、第２の竿管３の第２の継ぎ端部１７にねじ込まれている栓体２２が弛むことはなく、栓体２２の脱落やがたつきを解消できる。
【００３５】
なお、栓体２２の突出部２４の外周面にＯリング２７が取り付けられている。Ｏリング２７は、第２の竿管３から栓体２２が緩むのを防いでいる。
【００３６】
図５に示すように、栓体２２は、第１の端面２８と第２の端面２９とを有している。第１の端面２８は、栓体２２の突出部２４の突出端に位置し、第１の竿管２と第２の竿管３とを継ぎ合わせた時に、第１の竿管２の第１の継ぎ端部７の内側に露出する。第２の端面２９は、栓体２２の固定部２３の一端に位置し、常に第２の竿管３の内側に露出している。
【００３７】
栓体２２は、釣糸１１を通す円形の糸挿通孔３１を有している。糸挿通孔３１は、栓体２２の軸線Ｏ１に沿って同軸状に形成されている。糸挿通孔３１は、第１の端面２８の中央部に開口する第１の開口端３２ａと、第２の端面２９の中央部に開口する第２の開口端３２ｂとを有している。第１の開口端３２ａの直径Ｄ１は、第２の開口端３２ｂの直径Ｄ２よりも小さくなっている。
【００３８】
さらに、糸挿通孔３１は、第１の開口端３２ａと第２の開口端３２ｂとの間の中間部に小径部３４を有している。小径部３４では、糸挿通孔３１の内径Ｄ３が最も小さくなるように絞り込まれている。
【００３９】
小径部３４の内周面にリング部材３５が同軸状に取り付けられている。リング部材３５は、例えばセラミックスのような耐摩耗性に優れた材料で造られており、その内径Ｄ４が小径部３４の内径Ｄ３よりも小さくなっている。そのため、糸挿通孔３１の最小径は、リング部材３５によって規定されている。
【００４０】
図５に示すように、栓体２２の第１の端面２８は、その外周部から上記糸挿通孔３１の第１の開口端３２ａの方向に進むに従い次第に凹むように傾斜するテーパ状に形成されている。言い換えると、第１の端面２８は、第１の開口端３２ａを取り囲むように凹んでおり、この凹みの底に第１の開口端３２ａが位置している。
【００４１】
本実施の形態では、テーパ状をなす第１の端面２８の外周縁は、突出部２４の外周面２４ａに連続している。そのため、第１の端面２８と突出部２４の外周面２４ａとで規定される端部３６は、鋭角に尖っており、この端部３６の外側に隙間ｇが位置している。
【００４２】
栓体２２の第２の端面２９は、栓体２２の軸線Ｏ１と直交する平坦面となっている。第２の端面２９と糸挿通孔３１の内周面３１ａとで規定される角部３８は、直角に尖るとともに上記糸挿通孔３１の第２の開口端３２ｂを構成している。
【００４３】
第２の開口端３２ｂと第２の竿管３の内周面３ａとの間に段差３９が形成されている。段差３９は、第２の竿管３の径方向に沿うとともに、この第２の竿管３の周方向に連続している。さらに、段差３９は、糸挿通孔３１の最小径を規定するリング部材３５よりも第２の竿管３の前方に位置している。
【００４４】
図４に示すように、釣糸１１を中通し釣竿１の内側に挿入する際には、専用の糸通し具４１が用いられる。糸通し具４１は、線状の本体４２と、球状の頭部４３とを備えている。
【００４５】
本体４２は、中通し釣竿１に対する釣糸１１の挿通長を上回るような長さを有し、本実施の形態では、高剛性の形状記憶合金によって構成されている。形状記憶合金は、永久変形に対して耐久性があるとともに、防錆性も兼ね備えているので、釣り用品として好適する。
【００４６】
糸通し具４１に用いる形状記憶合金としては、縦弾性率が４０００〜８０００kgf/mm2（３９２００〜７８４００N/mm2）程度であり、特に６５００kgf/mm2（６３７００N/mm2）が好ましい。
【００４７】
Ni-Tiの２元系の形状記憶合金の場合は、Niが５４〜５６重量％、Tiが４４〜４６重量％の各範囲で２元系合金とする。さらに、Ni-Ti-Cuの３元系の形状記憶合金の場合は、Tiの量を４６〜４７重量％とし、Ni-Ti-Coの３元系の形状記憶合金の場合は、Tiの量を５４〜５５重量％とする等、糸通し具４１の使用環境温度の状況に応じて使い分ける。
【００４８】
本体４２は、糸通し具４１の挿入方向に沿う後端にループ式やフック式の糸掛け部４４を有している。リールから繰り出される釣糸１１は、本体４２の糸掛け部４４に取り外し可能に接続される。
【００４９】
頭部４３は、本体４２の先端に固定されて、糸通し具４１の挿入方向に沿う前端に位置している。頭部４３は、例えばステンレスや真鍮のような金属材料、ＡＢＳ樹脂、ポリカーボネート樹脂、ポリオキシメチレン樹脂のような硬質樹脂材料又は磁性材料によって形成することができる。磁性材料としては、希土類系、アルニコ系、フェライト系、樹脂合成型等の中から任意に選択が可能である。
【００５０】
頭部４３の直径は、釣糸導入孔８、糸挿通孔３１の最小径を規定するリング部材３５およびトップガイド１９を挿通可能な大きさとなっている。そのため、糸通し具４１は、釣糸導入孔８から第１および第２の竿管２，３の内側に挿入された後、穂先１８のトップガイド１９から中通し釣竿１の外に引き出されるようになっている。
【００５１】
本実施の形態では、糸挿通孔３１の第２の開口端３２ｂと第２の竿管３の内周面３ａとの間に位置する段差３９は、糸通し具４１の頭部４３の半径よりも大きく設定されている。さらに、糸通し具４１の頭部４３の半径は、栓体２２の突出部２４と第１の竿管２の内周面２ａとの間の隙間ｇに、栓体２２の第１の端面２８と突出部２４の外周面２４ａとで規定される端部３６の厚みを加えた寸法よりも大きくなっている。
【００５２】
糸通し具４１の頭部４３は、完全な球に限らず、少なくとも糸通し具４１の挿入方向に沿う前半部が球面状に湾曲していればよく、頭部４３の後半部の形状は問わない。この際、頭部４３の直径とは、球面状をなす前半部を径方向に切断した時に得られる円弧の二点を結ぶ弦の最大長さのことを意味し、この弦の最大長さの半分を半径と規定する。
【００５３】
リールから繰り出される釣糸１１を中通し釣竿１の内側に導く手順について説明する。
【００５４】
まず、釣糸１１の先端を糸通し具４１の糸掛け部４４に接続する。次に、図４に示すように、糸通し具４１の頭部４３を釣糸導入ガイド１０の第１および第２のガイドリング１４，１５を通して釣糸導入孔８に導く。
【００５５】
この状態で糸通し具４１の本体４２を手で掴んで釣糸導入孔８に押し込んでいく。図４に示すように、高剛性の本体４２は、直線状を保って釣糸導入孔８から第１の竿管２の内側に挿入される。そのため、本体４２の押し込み動作に伴い、頭部４３が栓体２２の第１の端面２８に突き当たる。
【００５６】
第１の端面２８は、その外周部から糸挿通孔３１の第１の開口端３２ａに向けて凹むように傾斜するテーパ状をなしているので、第１の端面２８に頭部４３が突き当たると、頭部４３は、第１の端面２８の傾斜に沿って第１の開口端３２ａの方向に滑らかに誘導される。
【００５７】
さらに、本実施の形態によると、頭部４３の半径は、栓体２２の突出部２４と第１の竿管２の内周面２ａとの間の隙間ｇに、栓体２２の第１の端面２８と突出部２４の外周面２４ａとで規定される端部３６の厚みを加えた寸法よりも大きい。このため、たとえ頭部４３が第１の端面２８と第１の竿管２の内周面２ａとの間に跨るような姿勢で第１の端面２８に突き当たったとしても、頭部４３が隙間ｇに入り込んだり、この隙間ｇに引っ掛かることはない。
【００５８】
したがって、糸通し具４１の頭部４３は、容易に端部３６を乗り越えるとともに、第１の端面２８に沿って滑らかに糸挿通孔３１の第１の開口端３２ａに誘導される。それとともに、頭部４３は、本体４２の剛性によって栓体２２の軸線Ｏ１の付近に保持される。このため、頭部４３は、本体４２の押し込み動作により小径なリング部材３５を貫通して糸挿通孔３１の第２の開口端３２ｂから第２の竿管３の内側に導かれる。
【００５９】
糸挿通孔３１は、第１の開口端３２ａよりも第２の開口端３２ｂの方が径が大きいので、リング部材３５を貫通した頭部４３が糸挿通孔３１の内周面３１ａに接触し難くなる。このため、頭部４３は、大きな接触抵抗を伴うことなく糸挿通孔３１を貫通して第２の竿管３の内側に導入される。
【００６０】
よって、糸通し具４１の挿通性が良好となり、糸通し具４１の挿通作業を短時間のうちに安定して行うことができる。
【００６１】
一方、糸通し具４１の本体４２を中通し釣竿１に押し込んでいる最中に、例えば中通し釣竿１の姿勢の変化に伴って本体４２が釣糸導入孔８の方向に後戻りした場合、糸通し具４１の頭部４３は、重力の影響を受けて第２の竿管３の内周面３ａに沿うようにして栓体２２の方向に戻る。
【００６２】
この際、第２の竿管３の内周面３ａと糸挿通孔３１の第２の開口端３２ｂとの間に、頭部４３の半径よりも大きい段差３９が存在するので、図５に二点鎖線で示すように、頭部４３が段差３９に引っ掛かり易くなる。このため、栓体２２の第２の端面２９を利用して糸通し具４１の後戻りを防止することができ、糸通し具４１が釣糸導入孔８から中通し釣竿１の外に抜け落ち難くなる。
【００６３】
したがって、糸通し具４１の挿通性を高めつつ、糸通し具４１が後戻りし難い中通し釣竿１を得ることができる。
【００６４】
本発明は上記第１の実施の形態に特定されるものではなく、発明の主旨を逸脱しない範囲内で種々変形して実施可能である。
【００６５】
例えば上記第１の実施の形態では、栓体２２を第２の竿管３の第２の継ぎ端部１７にねじ込むことで固定したが、接着等の手段により第２の継ぎ端部１７に固定してもよい。
【００６６】
さらに、第２の竿管３の第２の継ぎ端部１７に位置する端部材は、栓体に限らず、例えばセラミックス製のリング部材であってもよい。リング部材は、中央に糸挿通孔を有する中空の筒状であり、この糸挿通孔の最小内径は、糸通し具４１の頭部４３の直径よりも大きい。セラミックス製のリング部材は、割れ防止のため第２の竿管３の第２の継ぎ端部１７の内側に収容し、第２の継ぎ端部１７の外に突出しないように取り付けることが好ましい。
【００６７】
図６は、本発明の第２の実施の形態を開示している。
【００６８】
この第２の実施の形態は、栓体２２の第２の端面２９の形状が上記第１の実施の形態と相違している。それ以外の中通し釣竿１の構成は、第１の実施の形態と同様である。
【００６９】
図６に示すように、栓体２２の第２の端面２９は、栓体２２の固定部２３の外周面から糸挿通孔３１の第２の開口端３２ｂに進むに従い第１の端面２８から遠ざかる方向に突出するように傾斜するテーパ状に形成されている。この傾斜により、第２の端面２９と糸挿通孔３１の内周面３１ａとで規定される角部３８は、鋭角に尖っている。
【００７０】
さらに、栓体２２の第２の端面２９と第２の竿管３の内周面３ａとの間に段差３９に連なる空隙５１が形成されている。空隙５１は、第２の竿管３の周方向に連続するとともに、第２の竿管３の内側に向けて次第に拡開するような断面形状を有している。
【００７１】
このような構成によると、栓体２２の第２の端面２９を傾斜させたことで、この第２の端面２９と第２の竿管３の内周面３ａとの間に空隙５１が存在する。このため、糸通し具４１の本体４２を中通し釣竿１に押し込んでいる最中に、何らかの理由により本体４２が釣糸導入孔８の方向に後戻りした場合、頭部４３が空隙５１に入り込む。
【００７２】
言い換えると、頭部４３がテーパ状の第２の端面２９に接した時点で、この頭部４３は、第２の端面２９の傾斜に沿うように空隙５１に誘導されることになる。そのため、頭部４３が段差３９により引っ掛かり易くなり、栓体２２の第２の端面２９を利用して糸通し具４１の後戻りを確実に防止することができる。
【００７３】
図７は、本発明の第３の実施の形態を開示している。
【００７４】
この第３の実施の形態は、糸通し具４１の頭部４３の構成が上記第１の実施の形態と相違している。これ以外の中通し釣竿１の構成は、第１の実施の形態と同様である。
【００７５】
図７に示すように、頭部４３は、糸通し具４１の挿入方向に沿う後方に突出する係止部６１を有している。係止部６１は、頭部４３と同一の材料で頭部４３と一体成形してもよいし、頭部４３とは独立した別の部品として頭部４３に接着あるいはねじ込み等の手段により固定するようにしてもよい。
【００７６】
係止部６１は、頭部４３の後方に進むに従い拡開するような円錐状をなしており、その後端に円形の端面６２を有している。端面６２は、例えば糸通し具４１の挿入方向と直交する方向に広がる平面又は頭部４３に向けて凹む窪み面であり、この端面６２の中央部に本体４２が固定されている。端面６２と本体４２とは、互いに直交し合うような位置関係を保っている。端面６２の外周縁６２ａは、エッジ状に尖っている。
【００７７】
係止部６１の端面６２の外径は、頭部４３の直径よりも一回り大きく、かつ糸挿通孔３１の最小径を規定するリング部材３５の内径、穂先１８の内径およびトップガイド１９の内径よりも小さくなっている。ここで、穂先１８の内径とは、第２の竿管３の内周面３ａに位置する凸部２０が穂先先端まで達している場合には、この凸部２０によって狭められた部分の内径のことを指している。
【００７８】
このような構成によると、糸通し具４１は、球状の頭部４３から後方に突出する係止部６１を有し、この係止部６１の後端に糸通し具４１の挿入方向と直交する方向に広がる円形の端面６２が形成されている。
【００７９】
このため、糸通し具４１の本体４２を中通し釣竿１に押し込んでいる最中に、何らかの理由により本体４２が釣糸導入孔８の方向に後戻りした場合、端面６２の尖った外周縁６２ａが第２の竿管３の内周面３ａの凸部２０に引っ掛かり易くなる。
【００８０】
したがって、糸通し具４１の頭部４３が栓体２２の第２の端面２９に引っ掛かる以前に、糸通し具４１の後戻りを阻止することができ、糸通し具４１が後戻りする距離を短く抑えることができる。
【００８１】
さらに、たとえ係止部６１の外周縁６２ａが凸部２０を乗り越えたとしても、係止部６１が栓体２２の第２の端面２９に達した時点で、係止部６１の端面６２の外周縁６２ａが段差３９に引っ掛かる。
【００８２】
この結果、糸通し具４１の後戻りをより確実に防止することができ、糸通し具４１の挿通作業を安定して行うことができる。
【００８３】
上記第３の実施の形態では、第２の竿管３の内周面３ａの凸部２０を保護する観点から、少なくとも係止部６１の表面を例えば樹脂層で被覆することが望ましい。特に第２の竿管３の内周面３ａに撥水層が積層されている場合には、係止部６１の表面を樹脂層で覆うことで、撥水層も同時に保護することができる。
【００８４】
さらに、上記第３の実施の形態において、係止部６１を頭部４３と別の構成要素とする場合には、この係止部６１を例えば弾性変形が可能なゴム状弾性体で構成してもよい。係止部６１が弾力を有するのであれば、端面６２の外径を糸挿通孔３１の最小径を規定するリング部材３５の内径および穂先先端の内径よりも大きく形成することができる。
【００８５】
これにより、糸通し具４１が後戻りしようとした場合に、端面６２の外周縁６２ａが穂先１８の内周面や栓体２２の第２の端面２９により強固に引っ掛かり易くなり、糸通し具４１の後戻りを確実に防止できる。
【００８６】
なお、係止部６１が弾性変形可能な場合でも、糸通し具４１の挿通性のことを考慮すると、端面６２の外径は、トップガイド１９の内径や穂先先端の内径よりも小さくすることが好ましい。
【００８７】
さらに、係止部６１の形状にしても円錐状に限らず、例えば頭部４３の後端から放射状に突出する複数のアーム部を有する形状としてもよい。
【００８８】
図８は、本発明の第４の実施の形態を開示している。
【００８９】
この第４の実施の形態は、栓体２２の構成が上記第１の実施の形態と相違している。これ以外の中通し釣竿１の構成は、第１の実施の形態と同様である。
【００９０】
第４の実施の形態では、糸通し具４１の頭部４３が磁性材料によって形成されている。磁性材料としては、例えば希土類系、アルニコ系、フェライト系、樹脂合成型等の中から任意に選択することができる。
【００９１】
さらに、図８に示すように、栓体２２の第１の端面２８にリング状の第１の磁性体７１が配置されている。第１の磁性体７１は、糸通し具４１の頭部４３と同極の磁性材料で構成されている。本実施の形態では、第１の端面２８に周方向に連続する凹所７２が形成されている。第１の磁性体７１は、凹所７２に埋め込まれている。これにより、第１の端面２８と第１の磁性体７１とが同一の平面上に位置している。第１の磁性体７１は、糸挿通孔３１の第１の開口端３２ａを周方向に連続して取り囲んでいる。
【００９２】
栓体２２の第２の端面２９にリング状の第２の磁性体７３が配置されている。第２の磁性体７３は、吸着体の一例であり、糸通し具４１の頭部４３と逆極の磁性材料で構成されている。第２の磁性体７３は、第２の端面２９に例えば接着や圧入等の手段により固定されており、糸挿通孔３１の第２の開口端３２ｂを取り囲んでいる。
【００９３】
このような構成において、糸通し具４１の本体４２の押し込み動作に伴い、本体４２の前端に位置する頭部４３が栓体２２の第１の端面２８の直前に達すると、頭部４３と第１の磁性体７１とが磁力により反発し合う。特に第１の磁性体７１は、糸挿通孔３１の第１の開口端３２ａを取り囲んでいるので、頭部４３は、反発する磁力によって第１の開口端３２ａと向かい合う位置に浮遊するように保持され、第１の端面２８との接触が回避される。
【００９４】
このため、糸通し具４１の本体４２を軽く押し込むだけで、頭部４３を第１の開口端３２ａから糸挿通孔３１の内側に誘導することができる。したがって、頭部４３は、大きな接触抵抗を伴うことなく糸挿通孔３１を貫通して第２の竿管３の内側に導入されることになり、糸通し具４１の挿通作業を容易に行なうことができる。
【００９５】
一方、糸通し具４１の本体４２を中通し釣竿１に押し込んでいる最中に、何らかの理由により本体４２が釣糸導入孔８の方向に後戻りした場合、糸通し具４１の頭部４３が栓体２２の第２の端面２９に近づいた時点で、頭部４３が磁力により第２の磁性体７３に吸着される。
【００９６】
このため、糸通し具４１の頭部４３が栓体２２に確実に吸着され、糸通し具４１の後戻りを回避することができる。
【００９７】
第４の実施の形態では、栓体２２のテーパ状に傾斜する第１の端面２８に第１の磁性体７１を配置したが、この第１の端面２８は、栓体２２の軸線Ｏ１と直交する平坦面であってもよい。言い換えると、第１の端面２８をテーパ状に傾斜させた場合は、頭部４３は第１の端面２８に沿って糸挿通孔３１に滑らかに誘導されるので、第１の磁性体７１を省略することができる。
【００９８】
さらに、栓体２２の第２の端面２９に、第２の磁性体７３の代わりに金属板を取り付けるようにしてもよい。
【００９９】
図９は、本発明の第５の形態を開示している。
【０１００】
この第５の実施の形態は、糸通し具４１の頭部４３の形状が上記第１の実施の形態と相違している。
【０１０１】
図９に示すように、頭部４３は、半球状の曲面部８１と、円形の後端面８２とで構成されている。後端面８２は、曲面部８１の径方向に沿う平坦面であり、この後端面８２の外周縁と曲面部８１の表面とで規定される角部８３は、略直角に尖っている。
【０１０２】
形状記憶合金で造られる本体４２は、後端面８２の中央部に例えば接着あるいはねじ込み等の手段により連結されている。この本体４２と後端面８２とは、互いに直交するような位置関係を保っている。
【０１０３】
このような構成によると、糸通し具４１の本体４２を中通し釣竿１に押し込んでいる最中に、何らかの理由により本体４２が釣糸導入孔８の方向に後戻りした場合、頭部４３の尖った角部８３が第２の竿管３の内周面３ａの凸部２０に引っ掛かり易くなる。
【０１０４】
したがって、糸通し具４１の頭部４３が栓体２２の第２の端面２９に引っ掛かる以前に、糸通し具４１の後戻りを阻止することができ、糸通し具４１が後戻りする距離を短く抑えることができる。
【０１０５】
それとともに、たとえ頭部４３の角部８３が凸部２０を乗り越えたとしても、頭部４３が栓体２２の第２の端面２９に達した時点で、頭部４３の角部８３が段差３９に確実に引っ掛かる。この結果、糸通し具４１の後戻りをより確実に防止することができ、糸通し具４１の挿通作業を安定して行うことができる。
【０１０６】
第５の実施の形態において、図９に二点鎖線で示すように、頭部４３の後端面８２に例えば摩擦係数の大きな樹脂又はゴム製の円板８５を接着等の手段により固定してもよい。さらに、円板８５の代わりに頭部４３の後端面８２を樹脂又はゴム製の被膜で覆うようにしてもよい。
【０１０７】
図１０は、本発明の第６の実施の形態を開示している。
【０１０８】
この第６の実施の形態は、糸通し具４１の頭部４３の形状が上記第５の実施の形態と相違している。
【０１０９】
図１０に示すように、頭部４３は、半球状の曲面部８１と、円錐形の後端面９１とで構成されている。後端面９１は、その外周縁から中央に進むに従い凹むように傾斜するテーパ状に形成されており、この後端面９１の中央に本体４２が例えば接着あるいはねじ込み等の手段により固定されている。
【０１１０】
後端面９１を傾斜させたことに伴い、後端面９１の外周縁と曲面部８１の表面とで規定される角部９２は、鋭角に尖っている。
【０１１１】
このような構成においても、本体４２が釣糸導入孔８の方向に後戻りした場合、頭部４３の尖った角部９２が第２の竿管３の内周面３ａの凸部２０又は段差３９により引っ掛かり易くなる。
【０１１２】
よって、糸通し具４１の後戻りを確実に防止することができ、糸通し具４１の挿通作業を安定して行うことができる。
【０１１３】
なお、第６の実施の形態において、図１０に二点鎖線で示すように、頭部４３の後端面９１に例えば摩擦係数の大きな樹脂又はゴム製の円板９３を接着等の手段により固定したり、後端面９１を樹脂又はゴム製の被膜で覆ってもよい。
【図面の簡単な説明】
【０１１４】
【図１】本発明の第１の実施の形態に係る中通し釣竿の側面図。
【図２】本発明の第１の実施の形態において、第１の竿管と第２の竿管とを分離した状態を示す中通し釣竿の側面図。
【図３】本発明の第１の実施の形態において、第１の竿管の釣糸導入部と第２の竿管の栓体との位置関係を示す断面図。
【図４】本発明の第１の実施の形態において、釣糸を接続した糸通し具を釣糸導入部から第１の竿管の内側に挿入した状態を示す中通し釣竿の断面図。
【図５】本発明の第１の実施の形態において、第２の竿管に取り付けた栓体の部分を拡大して示す断面図。
【図６】本発明の第２の実施の形態において、第２の竿管に取り付けた栓体の部分を拡大して示す断面図。
【図７】本発明の第３の実施の形態において、第２の竿管に取り付けた栓体の部分を拡大して示す断面図。
【図８】本発明の第４の実施の形態において、第２の竿管に取り付けた栓体の部分を拡大して示す断面図。
【図９】本発明の第５の実施の形態に係る糸通し具の概略図。
【図１０】本発明の第６の実施の形態に係る糸通し具の概略図。
【符号の説明】
【０１１５】
２…第１の竿管、３…第２の竿管、１０…釣糸導入部（釣糸導入ガイド）、１１…釣糸、１８…穂先、２２…端部材（栓体）、２８…第１の端面、２９…第２の端面、３１…糸挿通孔、３９…段差、４１…糸通し具、４３…頭部、６１…係止部、７１…第１の磁性体、７３…吸着体（第２の磁性体）。
【図１】
2007267709.tif 000003
【図２】
2007267709.tif 000004
【図３】
2007267709.tif 000005
【図４】
2007267709.tif 000006
【図５】
2007267709.tif 000007
【図６】
2007267709.tif 000008
【図７】
2007267709.tif 000009
【図８】
2007267709.tif 000010
【図９】
2007267709.tif 000011
【図１０】
2007267709.tif 000012